(57)【要約】【課題】負荷を停止させることなく、複数の電源系統を１台のバックアップ電源装置のみで安価に電源二重化を構築できる無停電電源装置を提供する。【解決手段】複数の常用電源装置２０、３０、４０で１台のバックアップ電源装置５０を共有してバックアップするため、常用電源装置毎に常用電源装置の商用直送電源の入力側に挿入された第１のスイッチと、この第１のスイッチの二次側とバックアップ電源の出力との間に接続された第２のスイッチ（６４ａと６４ｂの組，６５ａと６５ｂの組，６６ａと６６ｂの組）を１組とする入力選択スイッチを具備する。また、常用電源装置の切り離し又は切り戻しを、第１のスイッチ及び第２のスイッチから成る全ての組のスイッチのオンオフ制御により行う。【選択図】        図１
2004357423.tif 000002
【特許請求の範囲】
【請求項１】
常用電源装置とバックアップ電源装置とを切り替えて、負荷に電力を供給する無停電電源装置において、前記常用電源装置の出力は直接負荷に供給され、１台のバックアップ電源装置を複数の常用電源装置で共有するため、常用電源装置毎に常用電源装置の商用直送電源の入力側に挿入された第１のスイッチと、前記第１のスイッチの二次側とバックアップ電源の出力との間に接続された第２のスイッチとを１組とするスイッチを、バックアップすべき常用電源装置の台数分だけ備え、当該常用電源装置の切り離し又は切り戻しを前記常用電源装置及びバックアップ電源装置を商用直送電源に切り替えることなく、前記第１のスイッチ及び第２のスイッチから成る全ての組のスイッチのオンオフ制御により行うことを特徴とする無停電電源装置。
【請求項２】
前記全ての組のスイッチを切り替え制御する制御部を備えていることを特徴とする請求項１に記載の無停電電源装置。
【請求項３】
前記制御部は、全ての常用電源装置及びバックアップ電源装置の運転状態と、全ての組みのスイッチの切り替え状態を検出し、この検出状態に基づいて全ての組のスイッチの切り替え制御を行うことを特徴とする請求項１に記載の無停電電源装置。
【請求項４】
前記制御部は、前記バックアップ電源装置の故障状態を検出し、この故障結果に基づいて全ての組のスイッチの切替制御を行うことを特徴とする請求項１〜３のいずれか１項に記載の無停電電源装置。
【請求項５】
前記バックアップ電源装置の切り離し又は切り戻しと、バックアップ電源装置の点検を指令する操作部を備えていることを特徴とする請求項１〜４のいずれか１項に記載の無停電電源装置。
【請求項６】
前述常用電源装置全て及びバックアップ電源装置の運転状態及び全ての組のスイッチの切り替え状態を表示する表示部を備えていることを特徴とする請求項１〜５のいずれか１項に記載の無停電電源装置。
【発明の詳細な説明】
【０００１】
【発明の属する技術分野】
本発明は、無停電電源装置に関し、特に、常用電源装置或いはバックアップ電源装置の自動切替技術に関するものである。
【０００２】
【従来の技術】
従来、無停電電源装置（以下、ＵＰＳという）としては、例えば、特開２０００−０９９２１２号公報で提案されているように、入力電源を監視しながら２台のＵＰＳの運転状態を監視制御して自動で切替操作を行うことにより、定期点検等の手動操作時に簡単な操作で短時間で切り替え可能なものがある（特許文献１参照）。
【０００３】
しかしながら、同公報のものでは、ＵＰＳ負荷の運用開始後にバックアップ電源装置により電源系統の二重化を行う場合には、ＵＰＳ負荷の運用を一旦停止させる必要があり、サーバ等の２４時間３６５日停止できないＵＰＳ負荷には電源系統の二重化を構築できない等の課題があった。
【０００４】
そこで、本願発明者等は、先に、このような課題を解決した無停電電源装置の自動切替装置を、特願２００２−００７９６９号として出願している。図５はこの先願発明の構成を示すブロック図である。
【０００５】
図中１２０は常用電源装置、１３０はバックップ電源装置、１４０は自動切替部である。常用電源装置１２０はＵＰＳ１２１と出力切替スイッチ１２２とから構成されている。ＵＰＳ１２１には常用ＵＰＳ電源１２３から電源電圧が供給されている。また、出力切替スイッチ１２２は、入力側のＵＰＳ１２１と入力選択スイッチ１４４の第１のスイッチ１４４ａを介した商用直送電源１２４とを無瞬断で選択的に切り替えて、ＵＰＳ負荷１５０に供給する。バックアップ電源装置１３０は、同様にＵＰＳ１３１と出力切替スイッチ１３２とから構成されている。ＵＰＳ１３１にはバックアップ電源１３３から電源電圧が供給されている。
【０００６】
出力切替スイッチ１３２は入力側のＵＰＳ１３１と商用直送電源１２４とを無瞬断で選択的に切り替え、自動切替部１４０の入力選択スイッチ１４４の第２のスイッチ１４４ｂを介してＵＰＳ負荷１５０に供給する。
【０００７】
自動切替部１４０は、制御部１４１、操作部１４２、表示部１４３及び入力選択スイッチ１４４とから構成されている。制御部１４１は常用電源装置１２０及びバックアップ電源装置１３０の故障又は点検等の有無を検出すると共に、これらの出力切替スイッチ１２２、１３２の切り替え状態、入力選択スイッチ１４４の選択状態を検出し、切り替えを制御する。操作部１４２は切り離し、切り戻し及びバックアップ電源装置１３０の点検を指令する。表示部１４３は双方の電源装置１２０、１３０の状態及び入力選択スイッチ１４４の選択状態を表示する。
【０００８】
入力選択スイッチ１４４は、二つのスイッチ１４４ａ、１４４ｂから構成されており、それぞれ入力側が商用直送電源１２４とバックアップ電源装置１３０の出力に接続されると共に、出力側が常用電源装置１２０の出力切替スイッチ１２２の商用電源直送側に接続されている。
【０００９】
この構成の無停電電源装置では、通常は、常用電源装置１２０の出力切替スイッチ１２２がＵＰＳ１２１側に、バックアップ電源装置１３０の出力切替スイッチ１３２がＵＰＳ１３１側にそれぞれ接続されている。また、自動切替部１４０における入力選択スイッチ１４４は第１のスイッチ１４４ａが開放で、第２のスイッチ１４４ｂが投入されている。従って、通常時には、常用ＵＰＳ電源１２３から常用電源装置１２０に電源電圧が印加され、常用電源装置１２０から出力切替スイッチ１２２を介してＵＰＳ負荷１５０に対して電源電圧が供給される。
【００１０】
また、常用電源装置１２０の商用直送電源側にはバックアップ電源装置１３０により常に無停電電源が供給されている。この時、常用電源装置１２０に故障が発生し、出力切替スイッチ１２２が無瞬断で商用直送電源側に切り替わっても、ＵＰＳ負荷１５０にはバックアップ電源装置１３０により常に無停電電源が供給され続ける。
【００１１】
更に、バックアップＵＰＳ１３１に故障が発生したり、又は点検が必要になると、使用者は自動切替部１４０の操作部１４２を操作する。この操作により、制御部１４１は常用電源装置１２０の出力切替スイッチ１２２の状態を確認し、出力切替スイッチ１２２がＵＰＳ１２１側に接続されている場合は、入力選択スイッチ１４４の第２のスイッチ１４４ｂを先に開放し、その後、第１のスイッチ１４４ａを投入してバックアップＵＰＳ１３１を無停電電源装置から切り離す。
【００１２】
一方、出力切替スイッチ１２２が商用直送電源側に接続されている場合には、バックアップ電源装置１３０の出力切替スイッチ１３２が商用直送電源１２４側に切り替わっていることを確認した後、入力選択スイッチ１４４の第１のスイッチ１４４ａを先に投入する。その後、入力選択スイッチ１４４の第２のスイッチ１４４ｂを開放してバックアップＵＰＳ１３１を無停電電源装置から切り離す。同様にして、バックアップＵＰＳ１３１の故障復旧や点検終了の後、バックアップＵＰＳ１３１を無停電電源装置に切り戻す場合には、前述と逆の手順で切り戻し作業を行う。
【００１３】
【特許文献１】
特開２０００−０９９２１２号（段落００１４〜００１７、図１、図２）
【００１４】
【発明が解決しようとする課題】
上記先願発明の技術では、停止出来ないＵＰＳ負荷の運用開始後であっても、ＵＰＳ負荷を停止させることなく、電源系統の二重化を構築することが可能であるが、１台の無停電電源装置を１台のバックアップ電源装置でバックアップすることしか考慮しておらず、２台以上の常用電源装置で１台のバックアップ電源装置を共有し、電源の二重化を簡単な構成で安価に実現することはできなかった。
【００１５】
本発明は、上記先願発明を更に改良し、２台以上の常用電源装置で１台のバックアップ電源装置を共有でき、電源の二重化を簡単な構成で安価にできるようにした無停止電源装置を提供することを目的とする。
【００１６】
【課題を解決するための手段】
本発明は、この目的を達成するため、常用電源装置とバックアップ電源装置とを切り替えて、負荷に電力を供給する無停電電源装置において、前記常用電源装置の出力は直接負荷に供給され、１台のバックアップ電源装置を複数の常用電源装置で共有するため、常用電源装置毎に常用電源装置の商用直送電源の入力側に挿入された第１のスイッチと、前記第１のスイッチの二次側とバックアップ電源の出力との間に接続された第２のスイッチとを１組とするスイッチを、バックアップすべき常用電源装置の台数分だけ備え、当該常用電源装置の切り離し又は切り戻しを前記常用電源装置及びバックアップ電源装置を商用直送電源に切り替えることなく、前記第１のスイッチ及び第２のスイッチから成る全ての組のスイッチのオンオフ制御により行うことを特徴とする。
【００１７】
【発明の実施の形態】
次に、本発明の実施の形態について図面を参照して詳細に説明する。図１は本発明による無停電電源装置の一実施形態の構成を示すブロック図である。図１に示すように本実施形態の無停電電源装置は、主に、Ａ系常用電源装置２０と、Ｂ系常用電源装置３０と、Ｃ系常用電源装置４０と、バックアップ電源装置５０と、自動切替部６０と、から構成されている。Ａ系常用電源装置２０には、Ａ系ＵＰＳ系負荷７０が、Ｂ系常用電源装置３０には、Ｂ系ＵＰＳ系負荷８０が、Ｃ系常用電源装置４０には、Ｃ系ＵＰＳ系負荷９０がそれぞれ接続されている。
【００１８】
Ａ系常用電源装置２０はＡ系ＵＰＳ２１とＡ系出力切替スイッチ２２とから構成され、Ｂ系常用電源装置３０はＢ系ＵＰＳ３１とＢ系出力切替スイッチ３２とから構成され、更にＣ系常用電源装置４０はＣ系ＵＰＳ４１とＣ系出力切替スイッチ４２とからそれぞれ構成されている。
【００１９】
Ａ系ＵＰＳ２１にはＡ系ＵＰＳ電源２３から、Ｂ系ＵＰＳ３１にはＢ系ＵＰＳ電源３３から、Ｃ系ＵＰＳ４１にはＣ系ＵＰＳ電源４３からそれぞれ電源電圧が供給されている。Ａ系ＵＰＳ電源２３、Ｂ系ＵＰＳ電源３３、Ｃ系ＵＰＳ電源４３はそれぞれ商用電源であり、Ａ系ＵＰＳ２１、Ｂ系ＵＰＳ２３、Ｃ系ＵＰＳ３３は、それぞれＡ系ＵＰＳ電源２３、Ｂ系ＵＰＳ電源３３、Ｃ系ＵＰＳ電源４３からの交流電力を直流に変換して、その直流電力を充電するバッテリー機能を有し、更に、その直流を交流電力に変換して各々の負荷に供給する機能を持っている。
【００２０】
また、Ａ系出力切替スイッチ２２は入力側のＡ系ＵＰＳ２１とＡ系商用直送電源２４とを無瞬断で選択的に切り替えてＡ系ＵＰＳ負荷７０に供給し、Ｂ系出力切替スイッチ３２は同様に入力側のＢ系ＵＰＳ３１とＢ系商用直送電源３４とを無瞬断で選択的に切り替えてＢ系ＵＰＳ負荷８０に供給する。また、Ｃ系出力切替スイッチ４２は同様に入力側のＣ系ＵＰＳ４１とＣ系商用直送電源４４とを無瞬断で選択的に切り替えてＣ系ＵＰＳ負荷９０に供給する。即ち、出力切替スイッチ２２、３２、４２は、それぞれＡ系ＵＰＳ２１、Ｂ系ＵＰＳ３１、Ｃ系ＵＰＳ４１に故障等が発生すると、無瞬断でＡ系、Ｂ系、Ｃ系商用直送電源２４、３４、４４側に切り替える機能を持っている。
【００２１】
Ａ系商用直送電源２４、Ｂ系商用直送電源３４、Ｃ系商用直送電源４４は、それぞれ商用電源である。ここで、Ａ系ＵＰＳ負荷７０，Ｂ系ＵＰＳ負荷８０、及びＣ系ＵＰＳ負荷９０は、例えば、サーバー等のような負荷であり、２４時間３６５日連続運用が要求されるものである。
【００２２】
バックアップ電源装置５０は、バックアップＵＰＳ５１と、バックアップ出力切替スイッチ５２とから構成されている。バックアップＵＰＳ５１にはバックアップ系ＵＰＳ電源５３から電源電圧が供給されている。バックアップ系ＵＰＳ電源５３は商用電源であり、バックアップＵＰＳ５１はバックアップ系ＵＰＳ電源５３からの交流電力を直流に変換して、その直流電力を充電するバッテリー機能を有し、更に、その直流を交流電力に変換する機能を持っている。
【００２３】
また、バックアップ系出力切替スイッチ５２は入力側のバックアップＵＰＳ５１とバックアップ系商用直送電源５４を無瞬断で選択的に切り替えて、ＵＰＳ負荷側に供給する。この際、バックアップＵＰＳ５１に故障等が発生すると、バックアップ系出力切替スイッチ５２は無瞬断でバックアップ系商用直送電源５４側に切り替える機能を持っている。
【００２４】
自動切替部６０は、制御部６１、操作部６２、表示部６３、Ａ系入力選択スイッチ６４、Ｂ系入力選択スイッチ６５及びＣ系入力選択スイッチ６６から構成されている。制御部６１は、Ａ系常用電源装置２０、Ｂ系常用電源装置３０、Ｃ系常用電源装置４０及びバックアップ電源装置５０のそれぞれの電源装置に対して故障又は点検等の有無を検出すると共に、これらの出力切替スイッチ２２、３２、４２及び５２の切り替え状態、入力選択スイッチ６４、６５及び６６の選択状態の検出と制御を行う。更に、制御部６１はバックアップ電源装置５０の故障信号及び操作部６２からのバックアップ電源装置５０の点検信号及びバックアップ電源装置５０の切り替えのための制御信号を送出すると共に、これらの信号を表示部６３に送出する。
【００２５】
操作部６２はＡ系、Ｂ系、Ｃ系常用電源装置の切り離し及び切り戻し、或いはバックアップ電源装置５０の点検、バックアップ電源装置５０の切り離し及び切り戻しのための指令信号を制御部６１及び表示部６３に送出する。表示部６３は制御部６１及び操作部６２からの信号に基づいて各電源装置２０、３０、４０及び５０の状態、更には入力選択スイッチ６４、６５及び６６の選択状態を表示する。
【００２６】
また、自動切替部６０内のＡ系入力切替スイッチ６４は第１のスイッチ６４ａと第２のスイッチ６４ｂから構成され、Ｂ系入力切替スイッチ６５は第１のスイッチ６５ａと第２のスイッチ６５ｂから構成され、Ｃ系入力切替スイッチ６６は第１のスイッチ６６ａと第２のスイッチ６６ｂから構成されている。
【００２７】
ここで、図１の構成は図５に示す無停電電源装置と同様の構成であるが、本実施形態による無停電電源装置は以下の点で異なる構成になっている。即ち、入力選択スイッチの第２のスイッチ６４ｂ、６５ｂ、６６ｂの入力側が、バックアップ電源装置５０の出力に並列に接続され、３台の常用電源装置の商用直送電源系統を１台のバックアップ電源装置５０でバックアップしていることが異なっている。
【００２８】
なお、図１の実施形態では、３台の常用電源装置を１台のバックアップ電源装置でバックアップする構成としているが、１台のバックアップ電源装置でバックアップする常用電源装置は２台又は４台以上であっても良い。その場合には、バックアップすべき常用電源装置に対応して出力選択スイッチを用意し、それぞれの入力選択スイッチをスイッチ６４〜６６と同様に接続すれば良い。
【００２９】
次に、本実施形態の無停電電源装置の通常時の動作、切り離し動作及び切り戻し動作について以下に説明する。まず、切り戻し動作について図２のフローチャートを参照して説明する。切り戻す前は、Ａ系出力切替スイッチ２２、Ｂ系出力切り替えスイッチ３２及びＣ系出力切替スイッチ４２は、それぞれＡ系ＵＰＳ２１、Ｂ系ＵＰＳ３１、Ｃ系ＵＰＳ４１側に切り替えられており、自動切替部６０の入力選択スイッチ６４、６５及び６６のうち、第１のスイッチ６４ａ、６５ａ及び６６ａは全てオンし、第２のスイッチ６４ｂ、６５ｂ及び６６ｂは全てオフしている。
【００３０】
この状態で、Ａ系常用電源装置２０はＡ系ＵＰＳ電源２３からの給電によりＡ系ＵＰＳ負荷７０に対して、Ｂ系常用電源装置３０はＢ系ＵＰＳ電源３３からの給電によりＢ系ＵＰＳ負荷８０に対して、更にＣ系常用電源装置４０はＣ系ＵＰＳ電源４３からの給電によりＣ系ＵＰＳ負荷９０に対してそれぞれ電力供給を行う。
【００３１】
ここで、制御部６１はバックアップＵＰＳ５１を切り戻すか否かを判定する（ステップＡ１）。使用者が操作部６２を操作してバックアップＵＰＳ５１の切り戻しスイッチ（図示せず）をオンすると、ステップＡ２に進み、オンしない場合には切り戻しスイッチがオンされるまでステップＡ１で待機状態となる。
【００３２】
操作部６２の切り戻しスイッチがオンされると、制御部６１はバックアップＵＰＳ５１が故障していないかを判定し（ステップＡ２）、故障している場合には切り戻し動作を中止する。一方、故障していない場合には、Ａ系常用電源装置２０、Ｂ系常用電源装置３０及びＣ系常用電源装置４０に故障が発生していないか、又は点検していないかを判定する（ステップＡ３）。
【００３３】
ステップＡ３において、Ａ系常用電源装置２０、Ｂ系常用電源装置３０、Ｃ系常用電源装置４０のいずれかに故障が発生又は点検中の場合は、切り戻し動作を中止する。一方、故障発生が無く、点検していない場合には、Ａ系常用電源装置２０の出力切替スイッチ２２がＡ系ＵＰＳ２１側に接続されているかを判定する（ステップＡ４）。Ａ系ＵＰＳ２１側に接続されていない場合は、使用者が操作部６２を操作してＡ系出力切替スイッチ２２をＵＰＳ２１側に切り替える（ステップＡ５）。
【００３４】
次いで、同様にＢ系常用電源装置３０のＢ系出力切替スイッチ３２がＢ系ＵＰＳ３１側に接続されているかを判定し（ステップＡ６）、Ｂ系ＵＰＳ３１側に接続されていない場合には、操作部６２を操作してＢ系出力切替スイッチ３２をＢ系ＵＰＳ３１側に切り替える（ステップＡ７）。
【００３５】
同様にＣ系常用電源装置４０のＣ系出力切替スイッチ４２がＣ系ＵＰＳ４１側に接続されているかを判定し（ステップＡ８）、Ｃ系ＵＰＳ４１側に接続されていない場合には、操作部６２を操作してＣ系出力切替スイッチ４２をＣ系ＵＰＳ４１側に切り替える（ステップＡ９）。このように全ての常用電源装置２０、３０、４０の出力切替スイッチ２２、３２、４２が各々Ａ系ＵＰＳ２１、Ｂ系ＵＰＳ３１、Ｃ系ＵＰＳ４１側に接続されるように使用者は操作部６２を操作する。
【００３６】
次いで、バックアップ電源装置５０のバックアップ系出力切替スイッチ５２がバックアップＵＰＳ５１側に接続されているかを判定し（ステップＡ１０）、バックアップＵＰＳ５１側に接続されていない場合には、同様に使用者が操作部６２を操作してバックアップ系出力切替スイッチ５２をバックアップＵＰＳ５１側に切り替える（ステップＡ１１）。
【００３７】
このようにして全ての常用電源装置２０、３０、４０及びバックアップ電源装置５０の出力切替スイッチがＵＰＳ側に接続されると、制御部６１は全ての入力選択スイッチ６４、６５及び６６の第１のスイッチ６４ａ、６５ａ及び６６ａをオフし（ステップＡ１２）、その後、全ての入力選択スイッチ６４、６５及び６６の第２のスイッチ６４ｂ，６５ｂ及び６６ｂをオンする（ステップＡ１３）。以上で切り戻し動作が終了し、図３に示す通常時の動作シーケンスに移行する。
【００３８】
次に、通常時の動作を図３のフローチャートを参照して説明する。まず、通常時には制御部６１はステップＢ１でバックアップＵＰＳ５１の故障発生の有無を判定し、ステップＢ２でバックアップＵＰＳ５１の切り離し又は点検実施の有無を判定している。バックアップＵＰＳ５１に故障が発生すると、バックアップを終了して図４のバックアップＵＰＳの切り離し動作に移行する。
【００３９】
また、使用者が操作部６２のバックアップＵＰＳ５１の切り離しスイッチをオンし、或いはバックアップＵＰＳ５１の点検スイッチをオンすると、ステップＢ２でバックアップを継続しないと判定し、同様にバックアップを終了し、図４のバックアップＵＰＳの切り離し動作に移行する。点検スイッチと切り離しスイッチは操作部６２に設けられ、図１では不図示である。
【００４０】
一方、ステップＢ１で故障が発生せず、ステップＢ２で使用者がバックアップＵＰＳ５１の点検スイッチ又は切り離しスイッチをオンしない場合には、全ての常用電源装置２０、３０、４０の故障発生又は点検の実施有無を判定する（ステップＢ３）。故障発生が無く又は点検を実施しない場合には、ステップＢ４からステップＢ１１の処理を行うことで切り戻し動作完了時の状態を保持し、バックアップ動作を継続する。
【００４１】
即ち、ステップＢ４〜Ｂ１１の処理は図２のステップＡ４〜ステップＡ９及びステップＡ１２〜ステップＡ１３の処理と同様であり、出力切替スイッチ２２、３２、４２をそれぞれＵＰＳ２１側、ＵＰＳ３１側、ＵＰＳ４１側に接続する。次いで、ステップＢ１０で入力選択スイッチ６４、６５、６６の第１のスイッチ６４ａ、６５ａ、６６ａをオフし、その後、ステップＢ１１で入力選択スイッチ６４、６５、６６の第２のスイッチ６４ｂ、６５ｂ、６６ｂをオンする。
【００４２】
また、ステップＢ３において常用電源装置２０、３０、４０のうちいずれかの常用電源装置に故障が発生又は点検実施で、いずれかの出力切替スイッチがＵＰＳ側から商用直送電源側に切り替わると、Ａ系常用電源装置２０のＡ系出力切替スイッチ２２がＡ系ＵＰＳ２１側に接続されているかを判定する（ステップＢ１２）。Ａ系出力切替スイッチ２２がＡ系ＵＰＳ２１側に接続されている場合は、ステップＢ１３に進み、Ｂ系常用電源装置３０の出力切替スイッチ３２がＵＰＳ３１側に接続されているかを判定する。
【００４３】
一方、ステップＢ１２でＡ系出力切替スイッチ２２が商用直送電源２４側に接続されている場合には、Ａ系常用電源装置２０のみをバックアップし、Ｂ系及びＣ系の常用電源装置のバックアップ系はそれぞれの商用直送電源３４及び４４に接続するように入力選択スイッチ６５、６６の第２のスイッチ６５ｂ、６６ｂをオフし（ステップＢ１４）、続いて、第１のスイッチ６５ａ、６６ａをオンし（ステップＢ１５）、Ａ系常用電源装置２０のみをバックアップしている状態でバックアップ動作を継続する。
【００４４】
また、ステップＢ１３でＢ系出力切替スイッチ３２がＵＰＳ３１側に接続されている場合には、Ｃ系常用電源装置４０のみをバックアップし、Ａ系及びＢ系の常用電源装置２０、３０のバックアップ系はそれぞれの商用直送電源２４及び３４に接続するように入力選択スイッチ６４、６５の第２のスイッチ６４ｂ、６５ｂをオフし（ステップＢ１６）、続いて、第１のスイッチ６４ａ、６５ａをオンし（ステップＢ１７）、Ｃ系常用電源装置４０のみをバックアップしている状態でバックアップ動作を継続する。
【００４５】
一方、ステップＢ１３でＢ系出力切替スイッチ３２が商用直送電源側に接続されている場合には、Ｂ系常用電源装置３０のみをバックアップし、Ａ系及Ｃ系の常用電源装置２０、４０のバックアップ系はそれぞれの商用直送電源２４及び４４に接続するように入力選択スイッチ６４、６６の第２のスイッチ６４ｂ、６６ｂをオフし（ステップＢ１８）、続いて、第１のスイッチ６４ａ、６６ａをオンし（ステップＢ１９）、Ｂ系常用電源装置３０のみをバックアップしている状態でバックアップ動作を継続する。このようにバックアップ電源装置による常用電源装置のバックアップ動作を継続する。
【００４６】
次に、無停電電源装置における切り離し動作について図４のフローチャートを参照して説明する。まず、図３で説明したようにバックアップＵＰＳ５１に故障が発生したり、或いは使用者が操作部６２の点検スイッチ又は切り離しスイッチをオンすると、切り離し動作のシーケンスを開始する。
【００４７】
制御部６１は全ての常用電源装置２０、３０、４０の故障発生の有無を判定し（ステップＣ１）、いずれかの常用電源装置に故障が発生すると、入力選択スイッチ６４、６５及び６６の状態を保持したままステップＣ２に進む。
【００４８】
一方、全ての常用電源装置２０、３０、４０が正常に動作している場合には、Ａ系常用電源装置２０の出力切替スイッチ２２がＡ系ＵＰＳ２１側に接続されているかを判定する（ステップＣ３）。この時、Ａ系出力切替スイッチ２２がＡ系ＵＰＳ２１側に接続されていない場合には、使用者が操作部６２を操作してＡ系出力切替スイッチ２２をＵＰＳ２１側に切り替える（ステップＣ４）。
【００４９】
次いで、Ｂ系常用電源装置３０の出力切替スイッチ３２がＢ系ＵＰＳ３１側に接続されているかを判定し（ステップＣ５）、出力切替スイッチ３２がＢ系ＵＰＳ３１側に接続されていない場合には、使用者が操作部６２を操作してＢ系出力切替スイッチ３２をＵＰＳ３１側に切り替える（ステップＣ６）。
【００５０】
同様に、Ｃ系常用電源装置４０の出力切替スイッチ４２がＣ系ＵＰＳ４１側に接続されているかを判定し（ステップＣ７）、出力切替スイッチ４２がＣ系ＵＰＳ４１側に接続されていない場合には、使用者が操作部６２を操作してＣ系出力切替スイッチ４２をＵＰＳ４１側に切り替える（ステップＣ８）。
【００５１】
全ての常用電源装置２０、３０、４０の出力切替スイッチ２２、３２、４２がＵＰＳ側に接続されると、制御部６１は全ての入力選択スイッチ６４、６５、６６の第２のスイッチ６４ｂ、６５ｂ、６６ｂをオフし（ステップＣ９）、その後、全ての入力選択スイッチ６４、６５、６６の第１のスイッチ６４ａ、６５ａ、６６ａをオンし（ステップＣ１０）、ステップＣ２に進む。
【００５２】
ステップＣ２ではバックアップ系出力切替スイッチ５２が商用直送電源５４側に接続されているかを判定し、商用直送電源５４側に接続されていない場合には、使用者が操作部６２を操作してバックアップ系出力切替スイッチ５２を商用直送電源５４側に切り替え（ステップＣ１１）、バックアップＵＰＳ５１を切り離す。以上で切り離し動作が終了し、図２の切り戻しの動作シーケンスに移行する。
【００５３】
なお、通常、商用直送電源２４、３４、４４、５４は使用しないが、例えば、Ａ系ＵＰＳ２１に故障等が発生し、バックアップ電源装置５０でそれをバックアップした状態で、例えば、Ｂ系ＵＰＳ３１に故障等が発生すると、バックアップ電源装置５０は既に使用中であるので商用直送電源３４からＵＰＳ負荷８０に電力を供給する。このようにバックアップ電源でいずれか１つのＵＰＳ電源をバックアップ中に他のＵＰＳ電源で故障等が発生すると商用直送電源から負荷に電力が供給される。
【００５４】
本実施形態では、通常時はそれぞれの系統において常用電源装置から負荷に対して電力供給を行い、バックアップ電源装置は無負荷運転している。この状態で、いずれかの常用電源装置に故障が発生すると、故障発生の常用電源装置は無瞬断で商用直送電源側に切り替えられ、故障発生の常用電源装置を電源供給系統から切り離す。その際、常用電源装置の商用直送電源側には、バックアップ電源装置の出力が接続されているので、負荷に対してはバックアップ電源装置から無停電電源による電力供給を行う。この動作を１台のバックアップ電源装置に接続された全ての常用電源装置に対して行う。
【００５５】
また、バックアップ電源装置の切り戻しの際にも、同様にしてバックアップＵＰＳ５１から無瞬断で故障復旧した常用電源装置のＵＰＳ側に切り替えられるため、ＵＰＳ負荷には常に無停電電源による電力供給を行う。従って、故障した常用電源装置からバックアップ電源装置へ、又はバックアップ電源装置から故障復旧した常用電源装置への切り替えの際に、商用直送電源から負荷に対して電力供給を行うことはないので、商用直送電源の瞬時電圧低下や停電等による負荷への電力供給停止を完全に排除できる。
【００５６】
更に、各常用電源装置から負荷に対して電力供給を行う通常の状態においては、全ての常用電源装置の商用直送電源側が給電停止されても、負荷への電力供給には影響はない。従って、常用電源装置の商用直送電源側が給電停止された状態にて、常用電源装置の商用直送電源側に対して何時でもバックアップ電源装置を接続することが可能である。これにより、負荷の運用開始後であっても、負荷の運用を中断することなく、複数の電源系統に対して１台のバックアップ電源装置及び１台の自動切替部の接続により電源系統の二重化を安価に構築することが可能である。
【００５７】
【発明の効果】
以上説明したように本発明によれば、停止できないＵＰＳ負荷の運用開始後であっても、ＵＰＳ負荷を停止させることなく、電源系統の二重化を構築できると共に、複数の常用電源装置で１台のバックアップ電源装置を共有してバックアップすることにより、電源の二重化を簡単な構成で安価に構築することができる。
【図面の簡単な説明】
【図１】本発明による無停電電源装置の一実施形態の構成を示すブロック図である。
【図２】図１の実施形態のバックアップＵＰＳの切り戻し動作を示すフローチャートである。
【図３】図１の実施形態の常用電源装置のバックアップ動作を示すフローチャートである。
【図４】図１の実施形態のバックアップＵＰＳの切り離し動作を示すフローチャートである。
【図５】従来例の無停電電源装置の構成を示すブロック図である。
【符号の説明】
２０  Ａ系常用電源装置
２１  Ａ系ＵＰＳ
２２  Ａ系出力切替スイッチ
２３  Ａ系ＵＰＳ電源
２４  Ａ系商用直送電源
３０  Ｂ系常用電源装置
３１  Ｂ系ＵＰＳ
３２  Ｂ系出力切替スイッチ
３３  Ｂ系ＵＰＳ電源
３４  Ｂ系商用直送電源
４０  Ｃ系常用電源装置
４１  Ｃ系ＵＰＳ
４２  Ｃ系出力切替スイッチ
４３  Ｃ系ＵＰＳ電源
４４  Ｃ系商用直送電源
５０  バックアップ電源装置
５１  バックアップＵＰＳ
５２  バックアップ系出力切替スイッチ
５３  バックアップ系ＵＰＳ電源
５４  バックアップ系商用直送電源
６０  自動切替部
６１  制御部
６２  操作部
６３  表示部
６４  Ａ系入力選択スイッチ
６４ａ  第１のスイッチ
６４ｂ  第２のスイッチ
６５  Ｂ系入力選択スイッチ
６５ａ  第１のスイッチ
６５ｂ  第２のスイッチ
６６  Ｃ系入力選択スイッチ
６６ａ  第１のスイッチ
６６ｂ  第２のスイッチ
７０  Ａ系ＵＰＳ負荷
８０  Ｂ系ＵＰＳ負荷
９０  Ｃ系ＵＰＳ負荷
【図１】
2004357423.tif 000003
【図２】
2004357423.tif 000004
【図３】
2004357423.tif 000005
【図４】
2004357423.tif 000006
【図５】
2004357423.tif 000007